(57)【要約】【課題】カードが正規でない向き（縦長向き）に挿入（誤挿入）されたり、又は規定寸法より狭い幅のカードが挿入（誤挿入）されたりしたとき、挿入されるカードの厚さや傾き、又はカードに加えられる外力等に影響されることなく、カードコネクタ内へのカードの進入を確実に阻止することができるように、カードの誤挿入防止機構を工夫すること。【解決手段】カード挿入空間、及びカードのソケットと結合する端子を有するハウジング３と、該ハウジング３に固定されたシェル部材４と、カード挿入口２に誤挿入されたカードの進入を阻止するカード誤挿入防止手段を備えて成るカードコネクタ１において、  上記カード誤挿入防止手段は、カードが誤挿入されたとき、その進入を阻止する第１の進入阻止手段と、  上記第１の進入阻止手段で誤挿入されたカードの進入を阻止できなかったとき、そのカードの進入を阻止する第２の進入阻止手段を備えているカードコネクタ。【選択図】図４
2006164955.tif 000002
【特許請求の範囲】
【請求項１】
カード挿入空間、及びカードのソケットと結合する端子を有するハウジングと、該ハウジングに固定されたシェル部材と、カード挿入口に誤挿入されたカードの進入を阻止するカード誤挿入防止手段を備えて成るカードコネクタにおいて、
上記カード誤挿入防止手段は、カードが誤挿入されたとき、その進入を阻止する第１の進入阻止手段と、
上記第１の進入阻止手段で誤挿入されたカードの進入を阻止できなかったとき、そのカードの進入を阻止する第２の進入阻止手段を備えていることを特徴とするカードコネクタ。
【請求項２】
カード挿入空間、及びカードのソケットと結合する端子を有するハウジングと、該ハウジングに固定されたシェル部材と、カード挿入口に誤挿入されたカードの進入を阻止するカード誤挿入防止手段を備えて成るカードコネクタにおいて、
上記カード誤挿入防止手段は、第１の進入阻止手段と第２の進入阻止手段を備えており、
上記第１の進入阻止手段は、上記シェル部材に設けられ、挿入されたカードにより該カードの厚さ方向に弾性変形可能なアームから成り、
上記第２の進入阻止手段は、上記シェル部材に設けられ、挿入されるカードの厚さ方向に弾性変形可能な舌状突片と、
上記シェル部材に対してカードの挿入方向に摺動自在に支持され、挿入されたカードを保持すると共に、上記舌状突片によりカードの挿入方向への移動がロックされるイジェクトプレートと、
上記イジェクトプレートに対して揺動可能で、かつ、カードの挿入方向に摺動可能に支持されており、カードの挿入方向への移動により上記舌状突片によるイジェクトプレートのロックを解除するスイングプレートとから成り、
カードがカード挿入口に誤挿入されたとき、上記第１の進入阻止手段がカードの進入を阻止し、該第１の進入阻止手段でカードの進入が阻止できなかったとき、上記第２の進入阻止手段がカードの進入を阻止することを特徴とするカードコネクタ。
【請求項３】
上記シェル部材の舌状突片は突部と係止片を備え、
上記イジェクトプレートは、上記舌状突片の係止片に当接することにより該イジェクトプレートの移動をロックする係合突部と、挿入されたカードを保持する一対のロック片と、一対のばね片と、一対の孔を備え、
上記スイングプレートは、上記イジェクトプレートの一対のばね片に係合する係合片と、上記イジェクトプレートの一対の孔に挿通される一対の脚部と、該一対の脚部の先端に形成され上記イジェクトプレートの一対のロック片と対峙する一対の当接片と、上記シェル部材の舌状突片の突部に接触して該舌状突片を弾性変形させ、イジェクトプレートのロックを解除する中央片とを備えることを特徴とする請求項２に記載のカードコネクタ。
【請求項４】
上記シェル部材は、上記イジェクトプレートをカードの挿入方向に案内するガイド溝を備えることを特徴とする請求項２又は請求項３に記載のカードコネクタ。
【請求項５】
上記シェル部材のアームが、該シェル部材と一体に形成されたチャンネル形状であることを特徴とする請求項２〜請求項４のいずれかに記載のカードコネクタ。
【発明の詳細な説明】
【技術分野】
【０００１】
本発明は、ＩＣカード、磁気カード等のメモリカード（以下、カードという）用のコネクタに関し、さらに詳述すれば、カードの誤挿入防止機構を備えるカードコネクタに関するものである。
【背景技術】
【０００２】
カードコネクタは、その内部に複数のピン状の端子（コンタクト群）を有し、カード挿入口より挿入されたカードをこれらの端子に電気的に結合させることによって、該カードに対して情報の書き込み又は読み出しを行うものである。
このようなカードは縦横の長さを異にしており、カード挿入口でのカード挿入方向を縦方向とした場合、カードの横長向きでの挿入が正規の向きとなっている。
しかしながら、カードは正規の向きとは異なる縦長向きでも、カード挿入口よりカードコネクタの内部へ挿入することが可能であり、このような縦長向きでのカードの挿入（誤挿入）では、カードのソケットとカードコネクタのピン状の端子とが正しい位置関係に成らず、カードの壁部がピン状の端子に当接して該端子を変形又は損傷させることがある。
このような端子の変形や損傷が発生すれば、カードが正規の横長向きで挿入（正規挿入）されたとき、カードのソケットとピン状の端子との正しい結合が阻害され、カードに対する情報の書き込み又は読み出しが不可能となる。このため、カード誤挿入防止機構はカードコネクタにおいて必要不可欠なものである。
【０００３】
このようなカード誤挿入防止機構を有するカードコネクタとしては、特開２００２−２１６９０５号公報（カードコネクタの誤挿入防止装置）、及び特開２００４−６２５００号公報（カードソケット）に記載されているものが既に提案されている。
上記特開２００２−２１６９０５号公報（特許文献１）に記載されたカードコネクタ５０は、図１５に示されているように、基板６０上に固定されたコネクタ本体５１を有し、このコネクタ本体５１には、横長向きのカード６３の両側端部を支持する左右の挿入溝５２,５２が形成されている。この左右の挿入溝５２,５２を結ぶ平面はカード６３の正規挿入平面を構成する。この挿入溝５２,５２の奥部に位置する奥部壁５３には、コンタクト群５４が支持されている。上記コネクタ本体５１の下面（基板６０側の面）は、挿入溝５２,５２の部分を除いて開放されており、その上面には切欠５５が形成されている。
上記コネクタ本体５１上には、基板６０上に固定された板ばね材料からなるカバー部材５６が被せられている。このカバー部材５６には、切欠５５からコネクタ本体５１内に入り込む誤挿入防止ばね５７と遊び取りばね５８が、切り起こし片として形成されている。この誤挿入防止ばね５７と遊び取りばね５８は、それぞれの先端部がコネクタ本体５１の挿入溝５２,５２によって規定されるカード挿入平面内に突出している。
【０００４】
上記特許文献１に記載されたカードコネクタ５０に対して、カード６３を正規の横長向きの状態（図１５(ａ)に鎖線で示した状態）でコネクタ本体５１の左右の挿入溝５２,５２にその両側端部を挿入すると、カード６３は正しくカード挿入平面内を移動するため、該カード挿入平面内に先端部が突出している誤挿入防止ばね５７と遊び取りばね５８は、該カード６３により押されて弾性変形する。即ち、正規の横長向きのカード６３は、正しく挿入溝５２,５２に挿入することができ、そのコンタクト挿入穴にコンタクト群５４が正しく挿入され、電気的な導通がなされる。
これに対して、カード６３を縦長向きの状態（図１５(ａ)に実線で示した状態）でコネクタ本体５１に挿入すると、この縦長向きのカード６３は挿入溝５２,５２のいずれか一方に係合させることはできても、両方に同時に係合することができない。このため、挿入溝５２,５２の間の誤挿入防止ばね５７が必ずカード６３の上面に当接して、正しいカード挿入平面からカード６３を変位させ（カード挿入平面内への進入を許さず）、カード６３がコンタクト群５４に到達するのを阻止することにより、コンタクト群５４の破損を防止することができる（図１５(ｂ)を参照）。
なお、図１５(ａ)における符号５９は、軸６１を中心に回動してカードを排出するシーソーレバーであり、符号６２は該シーソーレバー５９を回動させるイジェクトレバーである。
【０００５】
また、上記特開２００４−６２５００号公報（特許文献２）に記載されたカードソケット（カードコネクタ）は、図１６に示されているように、ハウジング本体８０とカバー８８とから成るハウジング９０を備え、該ハウジング本体８０は底面部８１と側面部８２，８３と背面部８４とを有する。該底面部８１は矩形の板状であり、誤挿入防止部材挿通孔８１ｂと複数のコンタクト挿通孔８５とを有する。該誤挿入防止部材挿通孔８１ｂは底面部８１の前部に形成され、一対のばね部挿通部８１ｃとストッパー部挿通部８１ｄとを有している。この一対のばね部挿通部８１ｃはそれぞれキー８２ａ,８３ａの分断された部分に形成され、側面部８２，８３の長さ方向へ延びている。ストッパー部挿通部８１ｄは側面部８２，８３の長さ方向に直交する方向へ延び、上記一対のばね部挿通部８１ｃに連結されている。
【０００６】
カード誤挿入防止部材７０は、一対の固定部７１と一対のばね部７２と１つの幅方向ストッパ部７３とを有している。この一対の固定部７１は上記側面部８２,８３のキー８２ａ,８３ａの前端部に固定され、一対のばね部７２はそれぞれ固定部７１に連結され、側面部８２，８３の長さ方向へ延び、ばね部挿通部８１ｃの上方に位置している。幅方向ストッパ部７３は側面部８２，８３の長さ方向と直交する方向へ延び、一対のばね部７２に連結されている。幅方向ストッパ部７３はばね部７２が弾性変形していないとき、ストッパ部挿通部８１ｄの上方に位置している。
【０００７】
上記特許文献２に記載されたカードソケットに対して、所定サイズの幅を有するカード６５をカード挿入口７５ａに挿入すると、一対のばね部７２がカード６５の両側部にある段差面６７によって下方へ押圧され、所定量弾性変形する。これにより、ばね部７２はカード軌道７５ｃから押し出されて切欠き６６内に入る。これに伴って、幅方向ストッパ部７３もカード軌道７５ｃから押し出されてストッパ部挿通部８１ｄ内に入る（図１６(ｂ)を参照）。このため、幅方向ストッパ部７３は、カード６５に接触せずにカード６５の進入を阻止することなく、カード６５はカード収容空間７５ｂの奥まで挿入される。
一方、所定サイズに達しない幅の狭いカードをカード挿入口７５ａに挿入すると、ばね部７２はカードに接触しないので、該ばね部７２は弾性変形せずにカード軌道７５ｃ上に留まり、幅方向ストッパ部７３もカード軌道７５ｃ上に留まる。このために、このようなカードをカード収容空間７５ｂの奥の方へ挿入しようとすると、幅方向ストッパ部７３はカードの先端面に接触し、それ以上のカードの進入を阻止するので、所定サイズに達しない幅の狭いカードの誤挿入を防止することができる。
なお、図１６(ａ)における符号８７は、背面部８４に固定されているコンタクトである。
【０００８】
【特許文献１】特開２００２−２１６９０５号公報
【特許文献２】特開２００４−６２５００号公報
【発明の開示】
【発明が解決しようとする課題】
【０００９】
上記特許文献１に記載されたカードコネクタ５０のカード誤挿入防止機構（図１５を参照）は、縦長向きで挿入（誤挿入）されたカード６３については、板ばね５７により下向きに押圧することでコネクタ本体５１の壁に当接させて、それ以上のカードの進入を阻止するものである。
しかしながら、カード挿入口から挿入されたカードの厚みが薄い場合は、カードの進入を阻止する部材との干渉範囲が狭くなり、またカードが斜めに挿入されたり、カードに対して外力が加えられた場合は、カードが正規の挿入平面内を移動することもあり、カードの進入を止める部材をすり抜けて、カードの誤挿入を阻止することができない場合がある。
【００１０】
また、上記特許文献２に記載されたカードコネクタのカード誤挿入防止機構（図１６を参照）は、所定サイズに達しない幅の狭いカードをカード挿入口７５ａに挿入すると、ばね部７２は弾性変形せずにカード軌道７５ｃ上に留まると共に、幅方向ストッパ部７３もカード軌道７５ｃ上に留まることにより、このような幅の狭いカードの挿入を阻止するものである。
しかしながら、この特許文献２に記載されたカードコネクタにおいても、上記特許文献１のものと同様な現象が生じて、カードの誤挿入を阻止できない場合がある。
【００１１】
そこで、本発明が解決しようとする技術課題は、上記従来技術の問題点を解決するために、カードが正規でない向き（縦長向き）に挿入（誤挿入）されたり、又は規定寸法より狭い幅のカードが挿入（誤挿入）されたりしたとき、挿入されるカードの厚さや傾き、又はカードに加えられる外力等に影響されることなく、カードコネクタ内へのカードの進入を確実に阻止することができるように、カードの誤挿入防止機構を工夫することである。
【課題を解決するための手段】
【００１２】
本発明は、カード挿入口に誤挿入（縦長向きで挿入）されたカードの進入を阻止する進入阻止手段を備えて成るカードコネクタにおいて、該進入阻止手段を２段階に構成することにより、誤挿入されたカードの進入を確実に阻止することを基本とするものである。
【００１３】
(１) 本発明に係るカードコネクタは、カード挿入空間、及びカードのソケットと結合する端子を有するハウジングと、該ハウジングに固定されたシェル部材と、カード挿入口に誤挿入されたカードの進入を阻止するカード誤挿入防止手段を備えて成るカードコネクタを前提として、
上記カード誤挿入防止手段は、第１の進入阻止手段と第２の進入阻止手段を備えており、
上記第１の進入阻止手段は、上記シェル部材に設けられ、挿入されたカードにより該カードの厚さ方向に弾性変形可能なアームから成り、
上記第２の進入阻止手段は、上記シェル部材に設けられ、挿入されるカードの厚さ方向に弾性変形可能な舌状突片と、
上記シェル部材に対してカードの挿入方向に摺動自在に支持され、挿入されたカードを保持すると共に、上記舌状突片によりカードの挿入方向への移動がロックされるイジェクトプレートと、
上記イジェクトプレートに対して揺動可能で、かつ、カードの挿入方向に摺動可能に支持されており、カードの挿入方向への移動により上記舌状突片によるイジェクトプレートのロックを解除するスイングプレートとから成り、
カードがカード挿入口に誤挿入されたとき、上記第１の進入阻止手段がカードの進入を阻止し、該第１の進入阻止手段でカードの進入が阻止できなかったとき、上記第２の進入阻止手段がカードの進入を阻止するものである。
【００１４】
このような構成によれば、カードがカード挿入口に誤挿入（縦長向きで挿入）されると、シェル部材のアームがカードの厚さ方向に変形されないので、挿入されたカードは該アーム（第１の進入阻止手段）に衝突してその進入が阻止される。
何らかの理由により、誤挿入されたカードが上記シェル部材のアームをすり抜けて更に進入すると、該カードはスイングプレートを揺動させるが、上記シェル部材の舌状突片によるイジェクトプレートのロックは継続されたままであり、該イジェクトプレートを移動することができない。
このように、上記シェル部材のアーム（第１の進入阻止手段）をすり抜けたカードは、上記シェル部材の舌状突片、イジェクトプレート、及びスイングプレート（第２の進入阻止手段）の働きによって、確実にその進入が阻止される。
【００１５】
また、カードがカード挿入口に正規に挿入（横長向きで挿入）されると、上記シェル部材のアーム（第１の進入阻止手段）は、挿入されたカードによってその厚さ方向に変形されてカードの進入通路から待避するので、該挿入されたカードはアームに衝突することなく進入することができる。
このようにして、第１の進入阻止手段を通過したカードは、上記スイングプレートをカードの挿入方向へ摺動させて、上記シェル部材の舌状突片によるイジェクトプレートのロックを解除するので、該イジェクトプレートはカードの挿入方向に移動することが可能となる。これにより、正規に挿入されたカードは、該イジェクトプレートに保持された状態で更に奥へ進入して、カードのソケットをカードコネクタの端子へ正確に結合することができる。
【００１６】
(２) 上記シェル部材の舌状突片は突部と係止片を備え、
上記イジェクトプレートは、上記舌状突片の係止片に当接することにより該イジェクトプレートの移動をロックする係合突部と、挿入されたカードを保持する一対のロック片と、一対のばね片と、一対の孔を備え、
上記スイングプレートは、上記イジェクトプレートの一対のばね片に係合する係合片と、上記イジェクトプレートの一対の孔に挿通される一対の脚部と、該一対の脚部の先端に形成され上記イジェクトプレートの一対のロック片と対峙する一対の当接片と、上記シェル部材の舌状突片の突部に接触して該舌状突片を弾性変形させ、イジェクトプレートのロックを解除する中央片とを備えることができる。
【００１７】
このような構成によれば、誤挿入されたカードが何らかの理由により、上記第１の進入阻止手段（シェル部材のアーム）をすり抜けて更に進入すると、該カードはスイングプレートの一対の当接片の一方にのみ当接するか、又はどちらにも当接しないことになる。該当接片の一方にのみ当接する場合は、該スイングプレートは揺動するため、カード挿入方向へ移動することはない。また、どちらの当接片にも当接しない場合にも、該スイングプレートをカード挿入方向へ移動させることはない。いずれの場合でも、スイングプレートはカード挿入方向へ移動しないので、その中央片が上記シェル部材における舌状突片の突部を押すことは無く、該舌状突片を変形させることができないので、該舌状突片によるイジェクトプレートのロックを解除することは不可能である。
したがって、誤挿入されたカードは、上記イジェクトプレートのロック片を押して更に進入しようとするが、上記イジェクトプレートはロックされたままの状態にあるので、カードのこれ以上の進入を阻止することができる。
【００１８】
また、正規に挿入されたカードが、上記第１の進入阻止手段（シェル部材のアーム）を通過すると、カードはスイングプレートの一対の当接片に同時に当接して、該スイングプレートをカードの挿入方向へ移動させる。そうすると、該スイングプレートの中央片が上記シェル部材における舌状突片の突部を押すことにより、該舌状突片を弾性変形させることができるので、該舌状突片によるイジェクトプレートのロックを解除することができる。
したがって、正規に挿入されたカードは、上記スイングプレートの一対の当接片を介してイジェクトプレートのロック片を押すことによって、該スイングプレートやイジェクトプレートと共に更に奥へ進入することができ、カードのソケットをカードコネクタの端子に正確に結合することができる。
【００１９】
(３) また、上記シェル部材は、上記イジェクトプレートをカードの挿入方向に案内するガイド溝を備えることができる。
この構成によれば、シェル部材に対してイジェクトプレートをカードの挿入方向に案内する機構を簡単な構成にすることができ、全体を薄型で小型化することができる。
【００２０】
(４) また、上記シェル部材のアームが、該シェル部材と一体に形成されたチャンネル形状であってもよい。
この構成によれば、アームがシェル部材と一体に形成されているので、部品点数や組立工程数を少なくすることができる。
【発明の効果】
【００２１】
本発明によれば、カード挿入口に誤挿入（縦長向きで挿入）されたカードの進入を阻止するカード誤挿入防止手段が、第１の進入阻止手段と第２の進入阻止手段から構成されているため、何らかの理由により、第１の進入阻止手段により誤挿入されたカードの進入を阻止できなかった場合でも、第２の進入阻止手段により、そのカードの進入を確実に阻止することが可能である。
また、厚さの薄いカードが誤挿入された場合や、カードがカード挿入口に斜めに誤挿入された場合でも、第１の進入阻止手段又は第２の進入阻止手段によって、そのカードの進入を確実に阻止することができる。
【発明を実施するための最良の形態】
【００２２】
以下に、本発明の実施の形態について、図１〜図１４を参照しながら説明する。
この実施の形態の説明において、便宜上、図１の組立斜視図や図２の分解斜視図に示された各部材における上側及び下側を「表側」及び「裏側」と呼び、手前及び奥を「前」及び「後」と呼び、また右及び左をそのまま「右」及び「左」と呼ぶこととする。
【００２３】
〔カードコネクタの概要〕
カードコネクタ１の概要について、図１〜図４を参照しながら説明する。図１はカードコネクタの表側から見た組立斜視図であり、図２はその分解斜視図である。また、図３は裏側から見た組立斜視図であり、図４は裏側から見た平面図とその断面図である。
このカードコネクタ１は、薄いカードと厚いカード（例えば、ＣＦＡ規格に準拠するＣＦカードタイプＩ(薄いカード)とＣＦカードタイプII(厚いカード)）の双方に対応することができるものであり、後方部にピン状の端子２８を有し基部Ｂに固定されるハウジング３と、このハウジング３に固定されたシェル部材４と、このシェル部材４に対して前後方向へ（カードの挿入排出方向へ）摺動可能なイジェクトプレート５と、このイジェクトプレート５に対して揺動と前後方向への摺動が可能なスイングプレート６と、カードを排出するイジェクトレバー７と、このイジェクトレバー７を操作する操作ロッド８とを備えて成る。
このカードコネクタ１において、カードが正規の横長向きでカード挿入口２へ挿入（正規挿入）されると、このカードはカードコネクタ１の後方の奥部まで進入することができ、該カードに設けられたソケットをピン状の端子２８へ結合することができる。
一方、カードが縦長向きでカード挿入口２へ挿入（誤挿入）されると、このカードがカードコネクタ１の後方の奥部まで進入しないように途中で阻止することにより、該カードによるピン状の端子２８の損傷を防止するものである。
【００２４】
〔カードコネクタの構成〕
先ず、カードコネクタ１の構成を説明するために、このカードコネクタ１を構成するハウジング３、シェル部材４、イジェクトプレート５、スイングプレート６、及びイジェクト機構についてそれぞれ説明し、次に、これらを組み立てたカードコネクタ全体について説明する。
【００２５】
（ハウジング３の構成）
ハウジング３の構成について、図１、図２及び図４を参照しながら説明する。
このハウジング３は、図示されているように、略「コ」の字形状であって左右両側の側面部材３１,３２と後方側の背面部材３３から構成されており、該背面部材３３には多数のピン状の端子２８が取り付けられている。上記各側面部材３１,３２の内側は、カードの横長向きの幅寸法（カードの長辺）より僅かに広い間隔を有しており、カードが横長向きに挿入（正規挿入）されたとき、該カードの前後方向の移動を案内するようにカード挿入空間を形成している。このハウジング３が基部Ｂ上に固定され、その表側にシェル部材４が固定されると、各側面部材３１,３２の間にカード挿入口２が形成されることになる。
【００２６】
（シェル部材４の構成）
次に、シェル部材４の構成について、図１〜図５を参照しながら説明する。図５はシェル部材の平面図とその断面図である。
シェル部材４は、図示されているように、左右両側部が垂直に折り曲げられて側壁９ａ,９ｂが形成された略長方形の基板９と、この基板９の左右両側付近の前縁から延出する平面視略チャンネル形のアーム１０と、該基板９の左右両側付近の後縁より起立する一対のストッパ片１１,１１と、該基板９の中央部に縦長に穿孔した前方ガイド溝１２ａ及び後方ガイド溝１２ｂ（イジェクトプレート５を案内するガイド溝）と、該前方ガイド溝１２ａに沿って舌状に延出し、且つ突部１３ａ及び係止片１３ｂを有する舌状突片１４を備えて成る。
上記アーム１０は、一対の縦片１５,１５とその先端の横片１６とから成り、該一対の縦片１５,１５と横片１６を連結する一対の結合部１７,１７を有する。この一対の縦片１５,１５の間隔は、図８〜図１０及び図１２に示すように、カード１８が横長向きで挿入（正規挿入）されたとき、一対の縦片１５,１５を同時に押し上げることができるように、また、該一対の縦片１５,１５の内側縁の間隔はカード１８の縦長向きの幅寸法（カードの短辺）より若干広く構成されている。また、上記前方ガイド溝１２ａ及び後方ガイド溝１２ｂの両側縁には、それぞれ凹部１２ａ’,１２ｂ’が形成されている。
【００２７】
（イジェクトプレート５の構成）
次に、イジェクトプレート５の構成について、図２〜図４及び図６を参照しながら説明する。図６はイジェクトプレートの平面図とその断面図である。
このイジェクトプレート５は、図示されているように、略長方形状の板部材から成り、後縁の左右両側近傍から起立する一対のロック片１９,１９と、左右方向の中央部において後縁に形成され段差部を有するガイド舌片２０と、同じく中央部の中程に切り起こし片により形成された係合突部２２と、同じく中央部の前方側に切り起こし片により形成された一対のガイド突片２７,２７と、前後方向の中央部の左右両側近傍に形成された矩形の一対の孔２１，２１と、前縁部において左右両側部から中央へ伸びる一対の片持ちばね片２３,２３を備えて成る。
上記一対のロック片１９,１９の内側縁の間隔は、カード１８の縦長向きの幅寸法（カードの短辺）より狭くされている。また、上記ガイド舌片２０は、上記シェル部材４の基板９の表側面に沿って移動する一対の側縁部２０ａ,２０ａを有しており、該基板９の後方ガイド溝１２ｂにより案内される。上記一対のガイド突片２７,２７は、同じくシェル部材４の基板９の表側面に沿って移動するそれぞれの折曲げ部２７ａ,２７ａを有しており、該基板９の前方ガイド溝１２ａに案内される。そして、上記係合突部２２は、上記シェル部材４における舌状突片１４の係止片１３ｂに当接して、イジェクトプレート５の後方への移動を阻止するものである。
【００２８】
（スイングプレート６の構成）
次に、スイングプレート６の構成について、図２〜図４及び図７を参照しながら説明する。図７はスイングプレートの平面図とその断面図である。
このスイングプレート６は、図示されているように、左右両側に一対の脚部２９,２９を有する略ゲート型の板部材から成り、該左右両側の一対の脚部２９,２９の後縁を垂直に折り曲げた当接片２４,２４と、この一対の脚部２９,２９に形成された段差部２９ａ,２９ａと、上記ゲート型の板部材における左右方向の中央部において前縁に形成された係合片２５と、同じく中央部の後縁に形成された中央片２６を備えて成る。
上記一対の脚部２９,２９の後縁に形成された各当接片２４,２４の間隔は、カード１８が横長向きで挿入（正規挿入）されたとき一対の当接片２４,２４に同時に当接して、これらを後方（カード挿入方向）へ移動し得るように、また、該一対の当接片２４,２４の内側縁の間隔は、カード１８の縦長向きの幅寸法（カードの短辺）より若干広く構成されている。
そして、上記一対の脚部２９,２９は、イジェクトプレート５の一対の孔２１,２１に挿通され、上記係合片２５は、同じくイジェクトプレート５の一対の片持ちばね片２３,２３に係合され、上記中央片２６は、同じくイジェクトプレート５の一対のガイド突片２７,２７により案内されるものである。
【００２９】
（イジェクト機構）
次に、イジェクト機構の構成について、図１〜図４を参照しながら説明する。
このイジェクト機構は、図示されているように、シェル部材４の基板９上に枢支されたイジェクトレバー７と、同じくシェル部材４の側壁９ａに前後方向に摺動可能に取り付けられた操作ロッド８から成る。
上記イジェクトレバー７の一端（右側端）は、イジェクトプレート５のガイド舌片２０に当接され、その他端（左側端）は上記操作ロッド８の端部に係合されており、該操作ロッド８を後方へ操作することによってイジェクトレバー７が回動され、該イジェクトプレート５を前方（カード排出方向）へ移動することができる。
【００３０】
（各部材間相互の関係について）
次に、上記ハウジング３、シェル部材４、イジェクトプレート５、及びスイングプレート６の相互の関係について説明する。
【００３１】
〈イジェクトプレート５とスイングプレート６との関係〉
先ず、イジェクトプレート５とスイングプレート６との関係について、図２〜図４、図６、図７、図１３及び図１４を参照しながら説明する。
スイングプレート６の一対の脚部２９,２９は、イジェクトプレート５の一対の孔２１,２１に対して表側から裏側へ挿通され、該一対の脚部２９,２９の各段差部２９ａ,２９ａから先は該イジェクトプレート５の裏側に突出する。また、スイングプレート６の係合片２５は、イジェクトプレート５の一対の片持ちばね片２３,２３の中央部に係合される。このとき、一対の脚部２９,２９の当接片２４,２４は、イジェクトプレート５の一対のロック片１９,１９の前方に若干の間隔を空けて対峙する。そして、スイングプレート６の中央片２６は、イジェクトプレート５の一対のガイド突片２７,２７の間に位置し、若干の遊びを持って案内される。
【００３２】
このようにイジェクトプレート５に対してスイングプレート６を組み込んだ「イジェクトプレート組立体Ｉ」において、スイングプレート６の一対の当接片２４,２４に対して同時に後方への力が加わると、上記一対の片持ちばね片２３,２３が撓み、該スイングプレート６はイジェクトプレート５に対して後方（カード挿入方向）へ平行移動する（図１４）。一方、上記一対の当接片２４,２４の片方のみに対して後方への力が加わると、該スイングプレート６はイジェクトプレート５に対して揺動することになる（図１３(ａ)）。
【００３３】
〈イジェクトプレート組立体Ｉとシェル部材４との関係〉
次に、イジェクトプレート５に対してスイングプレート６を組み込んだ「イジェクトプレート組立体Ｉ」と、シェル部材４との関係について、図１〜図７を参照しながら説明する。
上記イジェクトプレート組立体Ｉにおけるイジェクトプレート５の一対のガイド突片２７,２７とガイド舌片２０は、シェル部材４の前方ガイド溝１２ａと後方ガイド溝１２ｂに嵌め込まれて、該イジェクトプレート組立体Ｉがシェル部材４の裏側面を前後方向に平行移動するように組み立てられる。
このように上記シェル部材４にイジェクトプレート組立体Ｉを組み込む場合、イジェクトプレート５の一対のガイド突片２７,２７の各折曲げ部２７ａ,２７ａと、該ガイド舌片２０の各側縁部２０ａ,２０ａは、該シェル部材４の前方ガイド溝１２ａと後方ガイド溝１２ｂの各々の凹部１２ａ’,１２ａ’,１２ｂ’,１２ｂ’を通り抜けて、シェル部材４の基板９の表側表面上に位置される。
【００３４】
このようにして、上記シェル部材４にイジェクトプレート組立体Ｉを組み込んだ「シェル部材組立体II」において、該イジェクトプレート組立体Ｉのスイングプレート６の大部分（一対の脚部２９,２９を除く部分）は、イジェクトプレート５とシェル部材４に挟持された状態になるが、このスイングプレート６は、イジェクトプレート５とシェル部材４との間において所定の範囲での移動や揺動ができるようになっている。そして、該スイングプレート６の中央片２６は、イジェクトプレート５の一対のガイド突片２７,２７の間において、該イジェクトプレート５とシェル部材４の舌状突片１４との間に挟持される。
【００３５】
〈シェル部材組立体IIとハウジング３との関係〉
次に、上記シェル部材４にイジェクトプレート組立体Ｉを組み込んだ「シェル部材組立体II」と、ハウジング３との関係について、図１〜図４を参照しながら説明する。
上記ハウジング３の表側に対して、上記シェル部材組立体IIを取り付けることによってカードコネクタが構成される。このシェル部材組立体IIのハウジング３への取付は、例えば、ハウジング３の左右一対の側面部材３１,３２に対して、シェル部材組立体IIにおけるシェル部材４の左右両側の側壁９ａ,９ｂを固定することにより行うことができる。
【００３６】
〔コードコネクタの動作〕
以下、上記のように構成されたコードコネクタ１に関する動作について、図１〜図１４を参照しながら説明する。
（カードが挿入される前の状態）
コードコネクタ１にカード１８が挿入される前の状態では、コードコネクタ１を構成するシェル部材４、イジェクトプレート５、スイングプレート６、イジェクトレバー７、及び操作ロッド８は、図３及び図４に示すような位置関係にある。
即ち、イジェクトプレート５に対するスイングプレート６の位置は、該イジェクトプレート５の一対の片持ちばね片２３,２３が開放された状態によって定まる位置となる。このとき、スイングプレート６の一対の当接片２４,２４は、イジェクトプレート５の一対のロック片１９,１９の前方において、該ロック片１９,１９に対して所定の間隔を空けて対峙している。
【００３７】
また、シェル部材４に対するイジェクトプレート５とスイングプレート６（イジェクトプレート組立体Ｉ）の位置は、該イジェクトプレート５の係合突部２２がシェル部材４における舌状突片１４上の係止片１３ｂの前方側に位置するようにされ、該スイングプレート６の中央片２６は該舌状突片１４上の突部１３ａと干渉しない前方側に位置するので、該イジェクトプレート５は、舌状突片１４上の係止片１３ｂによってシェル部材４にロックされた状態（後方へ移動できない状態）にある。（図３及び図４を参照）
このとき、シェル部材４におけるアーム１０の横片１６の前縁は、スイングプレート６の一対の当接片２４,２４より前方側に位置し、また、イジェクトプレート５の一対のロック片１９,１９、及びシェル部材４におけるアーム１０の横片１６は、ハウジング３に設けられたピン状の端子２８の先端より少し前方側に位置するように成っている。
【００３８】
（カードが縦長向きで挿入される場合）
次に、コードコネクタ１のカード挿入口２にカード１８が縦長向きで挿入（誤挿入）される場合の動作について、図８、図９、図１１〜図１３を参照しながら説明する。
このようにカード１８が縦長向きで挿入される場合でも、該カード１８がカード挿入口２の間口の中心部に挿入される場合（図８及び図１２(ａ)）と、間口の中心部からどちらかに片寄って挿入される場合（図１２(ｂ)）があるので、これらを場合分けして説明する。
【００３９】
〈カード挿入口の中心部に挿入される場合〉
先ず、カード１８が縦長向きでカード挿入口２の間口の中心部に挿入される場合（誤挿入の一例）について、図８、図１１(ａ)及び図１２(ａ)を参照しながら説明する。
この場合のカード１８の幅寸法（カードの短辺）は、シェル部材４のアーム１０における一対の縦片１５,１５の内側縁の間隔より狭いため、カード１８がカード挿入口２の中心部に挿入されると、アーム１０の一対の縦片１５,１５は全く変形されることなく挿入されるが、しかし、カード１８が途中まで挿入されたところで、その先端角部がアーム１０（第１の進入阻止手段）の一対の結合部１７,１７に当接して、それ以上のカードの進入が阻止される（図８）。これにより、カード１８の先端とハウジング３の背面部材３３に設けられたピン状の端子２８との衝突が回避される。
かくして、使用者はカード１８の誤挿入に気付き、正規の横長向きにしてカード１８の再挿入をすることになる。
【００４０】
〈カード挿入口の中心部から片寄って挿入される場合〉
次に、カード１８が縦長向きでカード挿入口２の間口の中心部からどちらかに片寄って挿入される場合（誤挿入の別の例）について、図１２(ｂ)を参照しながら説明する。
この場合もカード１８の幅寸法（カードの短辺）は、シェル部材４のアーム１０における一対の縦片１５,１５の内側縁の間隔より狭いため、カード１８がカード挿入口２の中心部から一方側に片寄って挿入されると、アーム１０の一方側の縦片１５のみがカード１８の厚み側（表側）に変形され、他方側の縦片１５は変形されないので、該アーム１０（第１の進入阻止手段）の横片１６は捩れて他方側（変形されない側）でカード１８の先端角部が当接して、それ以上のカードの進入が阻止される。これにより、カード１８の先端とハウジング３の背面部材３３に設けられたピン状の端子２８との衝突が回避される。
かくして、使用者はカード１８の誤挿入に気付き、正規の横長向きにしてカードの再挿入をすることになる。
【００４１】
〈誤挿入されたカードがアーム１０により阻止できない場合〉
カード挿入口２へ縦長向きで挿入（誤挿入）されたカード１８が、アーム１０（第１の進入阻止手段）の動作により阻止できなかった場合について、図９及び図１３を参照しながら説明する。
カード１８がカード挿入口２に縦長向きで挿入（誤挿入）された場合、通常であれば上述したとおり、アーム１０の結合部１７や横片１６によって誤挿入されたカード１８の進入を阻止することができるが、しかし、何らかの原因により誤挿入されたカード１８の進入を阻止することができない場合も発生する。阻止することができない主な原因としては、例えば次のようなことが考えられる。
【００４２】
このカードコネクタ１は、図１４(ｂ),(ｃ)に示すように、厚さの異なる２種類のカード１８ａ,１８ｂ（例えば、薄いカード１８ａはＣＦカードタイプＩ、厚いカード１８ｂはＣＦカードタイプII）に対応するものであるが、このうち特に、薄いカード１８ａでは、アーム１０の結合部１７や横片１６と干渉する範囲が狭いため、誤挿入されたカード１８が該結合部１７や横片１６に衝突することなく、これをすり抜けて更に後方（カードの挿入方向）へ進入することが考えられる。
また、カード１８が縦長向きでやや斜めにカード挿入口２より挿入された場合、カードの左右両側縁がアーム１０の一対の縦片１５,１５の両方を撓ませたり、カード１８に対して加えられた外力により該一対の縦片１５,１５を撓ませる可能性もあり、誤挿入されたカード１８がアーム１０の結合部１７や横片１６に衝突することなく、更に後方へ進入することが考えられる。
【００４３】
このように誤挿入されたカード１８の進入をアーム１０（第１の進入阻止手段）により阻止できない場合には、該カード１８の先端部はスイングプレート６の一対の当接片２４,２４のどちらか一方に当接するか（図９、図１３(ａ)）、又はどちらの当接片２４,２４にも当接しないことになる。
カードの先端部がどちらか一方の当接片２４に当接した場合は、図１３に示されているように、スイングプレート６は係合片２５の辺りを中心として揺動し、該一方の当接片２４がイジェクトプレート５のロック片１９に当接するが（図１３(ａ)）、該スイングプレート６全体が後方（カード挿入方向）へ移動することは無く、シェル部材４の舌状突片１４を変形させることが無いため、イジェクトプレート５の係合突部２２の後方への移動を拘束している該舌状突片１４の係止片１３ｂによるロックが解除されることはない（図１３(ｂ)(ｃ)）。このように、イジェクトプレート５はその位置に拘束されたままの状態であるから、誤挿入されたカード１８は拘束されているイジェクトプレート５のロック片１９により、それ以上の進入は阻止される。
【００４４】
また、カード１８の先端部がどちらの当接片２４,２４にも当接しない場合には、該カード１８の先端部はイジェクトプレート５の一対のロック片１９,１９に衝突するが、このイジェクトプレート５は、上述のとおりその位置で拘束されているため、誤挿入されたカード１８のそれ以上の進入は阻止される。
以上のように、何らかの理由でアーム１０の結合部１７や横片１６（第１の進入阻止手段）によって、誤挿入されたカード１８の進入を阻止することができない場合が発生しても、イジェクトプレート５やスイングプレート６等（第２の進入阻止手段）の作用によって、確実にその進入を阻止することができる。
【００４５】
（カードが横長向きで挿入される場合）
次に、コードコネクタ１のカード挿入口２にカード１８が横長向きで挿入（正規挿入）される場合の動作について、図１０、図１１(ｂ)、図１２(ｃ)及び図１４を参照しながら説明する。
この場合のカード１８の幅寸法（カードの長辺）は、シェル部材４のアーム１０における一対の縦片１５,１５の外側縁の間隔と略同等であるため、カード１８がカード挿入口２から挿入されると、該アーム１０の一対の縦片１５,１５を基板９側（表側）へ撓ませて、該アーム１０の一対の結合部１７,１７や横片１６をカード移動通路から待避させるので、挿入されたカードは衝突すること無く、さらに後方（カード挿入方向）へ進入することができる。（図１０、図１２(ｃ)を参照）
そうすると、カード１８の先端部はスイングプレート６の一対の当接片２４,２４に当接してこれを同時に後方へ押すので、該スイングプレート６全体が後方に移動されて、該一対の当接片２４,２４はイジェクトプレート５の一対のロック片１９,１９に当接する。（図１４(ｂ)(ｃ)を参照）
【００４６】
このとき、スイングプレート６の中央片２６は、シェル部材４の舌状突片１４とイジェクトプレート５に挟持された状態で後方（カード挿入方向）へ移動するため、該舌状突片１４の突部１３ａを押して該舌状突片１４を押し上げる（表側方向へ撓ませる）ことになる。これにより、該舌状突片１４の係止片１３ｂによるイジェクトプレート５の係合突部２２のロックが解除される。（図１４(ｂ)〜(ｄ)を参照）
このような動作により、イジェクトプレート５は後方へ移動することが可能となり、正規に挿入されたカードは該イジェクトプレート５と共に後方へ移動されて、カード１８のソケットがハウジング３の背面部材３３に設けられたピン状の端子２８に正確に結合され、カードの規定の挿入位置へのセットが完了する。（図１１(ｂ)を参照）
【００４７】
（カードを排出する場合）
次に、カード１８をカードコネクタ１から取り出す場合について、図３及び図４を参照しながら説明する。
カード１８を取り出す場合には、ロッド８を操作してイジェクトレバー７を反時計方向に回動させて、イジェクトプレート５のガイド舌片２０を前方（カード排出方向）へ押すことによって行われる。このガイド舌片２０を前方へ押せば、イジェクトプレート５はシェル部材４の前方ガイド溝１２ａ及び後方ガイド溝１２ｂに沿って前方へ移動する。これにより、イジェクトプレート５の係合突部２２も前方へ移動されるが、このとき、スイングプレート６はイジェクトプレート５に対して後方側に変位された状態にある（図１４(ｂ)〜(ｄ)を参照）。即ち、該スイングプレート６の中央片２６は、舌状突片１４の突部１３ａを押し上げて係止片１３ｂを係合突部２２の移動経路から待避させた状態にある。このため、イジェクトプレート５が前方（カード排出方向）へ移動されるとき、舌状突片１４の係止片１３ｂがイジェクトプレート５の係合突部２２の移動を妨げることはない。
このようにして、ロッド８を操作することにより、カード１８を円滑に取り出すことが可能であり、イジェクトプレート５とスイングプレート６は、シェル部材４に対してカードを挿入する前の初期状態に戻ることができる。
【図面の簡単な説明】
【００４８】
【図１】本発明の実施の形態によるカードコネクタの組立斜視図である。
【図２】同じくカードコネクタの分解斜視図である。
【図３】同じくカードコネクタ（ハウジングを除く）を裏側から見た組立斜視図である。
【図４】同じくカードコネクタの説明図であり、(ａ)は裏側から見た平面図、(ｂ)は(ａ)のＡ−Ａ断面図である。
【図５】同じくカードコネクタのシェル部材の説明図であり、(ａ)は平面図、(ｂ)は(ａ)のＢ−Ｂ断面図である。
【図６】同じくカードコネクタのイジェクトプレートの説明図であり、(ａ)は平面図、(ｂ)は(ａ)のＣ−Ｃ断面図である。
【図７】同じくカードコネクタのスイングプレートの説明図であり、(ａ)は平面図、(ｂ)は(ａ)のＤ−Ｄ断面図である。
【図８】同じくカードコネクタにおいて、カード挿入口間口の真中位置でのカード誤挿入の場合を説明する平面図である。
【図９】同じくカードコネクタにおいて、カード挿入口間口の一方に片寄った位置でのカード誤挿入の場合を説明する平面図である。
【図１０】同じくカードコネクタにおいて、カードの正規挿入の場合を説明する平面図である。
【図１１】同じくカードコネクタの第１の進入阻止手段と第２の進入阻止手段の動作説明図であり、(ａ)はカードを誤挿入した場合、(ｂ)はカードを正規挿入した場合である。
【図１２】同じくカードコネクタの第１の進入阻止手段の動作説明図であって、カード挿入口側から見た正面図である。(ａ)はカード挿入口間口の真中位置でのカード誤挿入の場合、(ｂ)はカード挿入口間口の一方に片寄った位置でのカード誤挿入の場合、(ｃ)はカード挿入口への正規挿入の場合の説明図である。
【図１３】同じくカードコネクタに対して、カードが誤挿入された場合の第２の進入阻止手段の動作説明図であり、(ａ)はイジェクトプレートに対するスイングプレートの状態を示す平面図、(ｂ)はカードコネクタの側断面図、(ｃ)は(ｂ)の要部拡大図である。
【図１４】同じくカードコネクタに対して、カードが正規挿入された場合の第２の進入阻止手段の動作説明図であり、(ａ)はイジェクトプレートに対するスイングプレートの状態を示す平面図、(ｂ)は薄いカードが挿入される場合のカードコネクタの側断面図、(ｃ)は厚いカードが挿入される場合のカードコネクタの側断面図、(ｄ)は(ｃ)の要部拡大図である。
【図１５】従来のカードコネクタの説明図であり、(ａ)は平面図、(ｂ)は(ａ)のＥ−Ｅ断面図である。
【図１６】別の従来のカードコネクタの説明図であり、(ａ)はカバーを外した状態の斜視図、(ｂ)は(ａ)のＦ−Ｆ断面図である。
【符号の説明】
【００４９】
１…カードコネクタ                      ２…カード挿入口
３…ハウジング                          ４…シェル部材
５…イジェクトプレート                  ６…スイングプレート
９…基板                              １０…アーム（第１の進入阻止手段）
１１…ストッパ片                        １２ａ…前方ガイド溝
１２ｂ…後方ガイド溝                    １３ａ…突部
１３ｂ…係止片                          １４…舌状突片
１５…縦片                              １６…横片
１７…結合部                            １８…カード
１９…ロック片                          ２０…ガイド舌片
２１…孔                                ２２…係合突部
２３…片持ちばね片                      ２４…当接片
２５…係合片                            ２６…中央片
２７…ガイド突片                        ２８…端子（コンタクト群）
２９…脚部
【図１】
2006164955.tif 000003
【図２】
2006164955.tif 000004
【図３】
2006164955.tif 000005
【図４】
2006164955.tif 000006
【図５】
2006164955.tif 000007
【図６】
2006164955.tif 000008
【図７】
2006164955.tif 000009
【図８】
2006164955.tif 000010
【図９】
2006164955.tif 000011
【図１０】
2006164955.tif 000012
【図１１】
2006164955.tif 000013
【図１２】
2006164955.tif 000014
【図１３】
2006164955.tif 000015
【図１４】
2006164955.tif 000016
【図１５】
2006164955.tif 000017
【図１６】
2006164955.tif 000018